(57)【要約】  アンテナ構造体１は、可視光を放出する光源３１と、可視光を透過するフィルム上に可視光を透過する透明導電体で形成され、光源３１が可視光を放出する側に設けられた可視光を透過するアンテナ部１０（アンテナ１１）とを備える。
2019043757.tif 000002
【特許請求の範囲】
【請求項１】
可視光を放出する光源と、
可視光を透過する基材上に可視光を透過する透明導電体で形成され、前記光源の可視光を放出する側に設けられた可視光を透過するアンテナと
を備えるアンテナ構造体。
【請求項２】
前記アンテナは、電波の送受信を行う放射部と電波を反射する反射部とを備え、当該反射部が前記光源と当該放射部との間に位置することを特徴とする請求項１に記載のアンテナ構造体。
【請求項３】
前記光源を駆動する駆動回路は、前記アンテナから見て、当該光源よりさらに離れた位置に設けられていることを特徴とする請求項１又は２に記載のアンテナ構造体。
【請求項４】
前記アンテナは、前記光源から導光されることで表示を形成する表示パネルの面に対向するように設けられていることを特徴とする請求項１乃至３のいずれか１項に記載のアンテナ構造体。
【請求項５】
前記アンテナは、前記光源から導光されることで表示を形成する２つの表示パネルに挟み込まれて設けられていることを特徴とする請求項１乃至３のいずれか１項に記載のアンテナ構造体。
【請求項６】
前記光源を覆う筐体を備え、
前記表示パネル及び前記アンテナは、前記筐体から飛び出すように構成されるとともに、
前記表示パネルは、交換可能なように前記筐体に固定されている
ことを特徴とする請求項４又は５に記載のアンテナ構造体。
【請求項７】
前記アンテナと前記表示パネルとの間に、可視光を反射する光反射部材が設けられていることを特徴とする請求項４に記載のアンテナ構造体。
【請求項８】
前記アンテナと前記表示パネルとの間に、電波を反射する電波反射部材が設けられていることを特徴とする請求項４又は５に記載のアンテナ構造体。
【請求項９】
前記光源が照明のための照明部として構成されていることを特徴とする請求項１乃至３のいずれか１項に記載のアンテナ構造体。
【発明の詳細な説明】
【技術分野】
【０００１】
本発明は、アンテナ構造体に関する。
【背景技術】
【０００２】
特許文献１には、管理サーバと、誘導灯に併設されるアクセスポイントと、前記アクセスポイントと直接または無線によるマルチホップ接続を介して無線リンクで接続される情報機器と、前記サーバと前記アクセスポイントとを接続するネットワークを備える無線システムのアクセスポイントであって、前記アクセスポイントは、誘導灯内に配置されるアンテナユニットと、カメラとを有し、前記アクセスポイントは、誘導灯内の二次電池に接続され、停電時に前記誘導灯内の二次電池により動作可能であるアクセスポイントが開示されている。【０００３】
特許文献２には、放送用電波を発信するアンテナまたは相互に電子情報を無線交信するためのアンテナを、図形や文字情報を表示する表示ユニット内に収納してなる表示器具であって、光源と、透光性材料によって板状に形成され光源から放射される光が一端面より入射する導光板と、図形や文字情報が描かれた表示パネルとを表示ユニットに備え、表示パネルと導光板が厚み方向に重なるように配設されるとともに表示パネルと導光板の対向面を除く位置にアンテナが配設された表示器が開示されている。【０００４】
特許文献３には、移動体通信ネットワークの基地局と通信可能な屋外アンテナと、前記屋外アンテナに接続された再送信手段とを備え、前記基地局およびユーザ端末間の情報交換を中継するリピータシステムであって、前記再送信手段は、前記屋外アンテナおよび前記ユーザ端末と通信可能な屋内アンテナ間のインタフェースとして動作し、一方のアンテナに受信された信号を他方のアンテナに再送信するようになっており、前記屋外アンテナは、空間の室内照明に用いる任意の透明パネル２に一体化された任意の透明平面アンテナであるリピータシステムが開示されている。
【先行技術文献】
【特許文献】
【０００５】
【特許文献１】特開２００６−３４０２７１号公報
【特許文献２】特開２００７−３０４６５８号公報
【特許文献３】特開２００９−３３７１６号公報
【発明の概要】
【発明が解決しようとする課題】
【０００６】
ところで、アンテナを設置する際には、多くの場合、景観や環境に配慮する必要があり、アンテナを見えにくくすることが求められている。このため、可視光を透過する可視光透過アンテナが開発されるようになってきた。このような可視光透過アンテナに、アンテナと異なる別の役割を融合すれば、可視光透過アンテナの利用度が向上する。
本発明の目的は、アンテナと光源とを融合したアンテナ構造体を提供することにある。
【課題を解決するための手段】
【０００７】
請求項１に記載の発明は、可視光を放出する光源と、可視光を透過する基材上に可視光を透過する透明導電体で形成され、前記光源の可視光を放出する側に設けられた可視光を透過するアンテナとを備えるアンテナ構造体である。
請求項２に記載の発明は、前記アンテナは、電波の送受信を行う放射部と電波を反射する反射部とを備え、当該反射部が前記光源と当該放射部との間に位置することを特徴とする請求項１に記載のアンテナ構造体である。
請求項３に記載の発明は、前記光源を駆動する駆動回路は、前記アンテナから見て、当該光源よりさらに離れた位置に設けられていることを特徴とする請求項１又は２に記載のアンテナ構造体である。
請求項４に記載の発明は、前記アンテナは、前記光源から導光されることで表示を形成する表示パネルの面に対向するように設けられていることを特徴とする請求項１乃至３のいずれか１項に記載のアンテナ構造体である。
請求項５に記載の発明は、前記アンテナは、前記光源から導光されることで表示を形成する２つの表示パネルに挟み込まれて設けられていることを特徴とする請求項１乃至３のいずれか１項に記載のアンテナ構造体である。
請求項６に記載の発明は、前記光源を覆う筐体を備え、前記表示パネル及び前記アンテナは、前記筐体から飛び出すように構成されるとともに、前記表示パネルは、交換可能なように前記筐体に固定されていることを特徴とする請求項４又は５に記載のアンテナ構造体である。
請求項７に記載の発明は、前記アンテナと前記表示パネルとの間に、可視光を反射する光反射部材が設けられていることを特徴とする請求項４に記載のアンテナ構造体である。
請求項８に記載の発明は、前記アンテナと前記表示パネルとの間に、電波を反射する電波反射部材が設けられていることを特徴とする請求項４又は５に記載のアンテナ構造体である。
請求項９に記載の発明は、前記光源が照明のための照明部として構成されていることを特徴とする請求項１乃至３のいずれか１項に記載のアンテナ構造体である。
【発明の効果】
【０００８】
請求項１の発明によれば、アンテナと光源とを融合したアンテナ構造体を提供することができる。
請求項２の発明によれば、反射部を備えない場合に比べ、光源で生じる相互誘導ノイズのアンテナへの影響が抑制される。
請求項３の発明によれば、駆動回路が離れた位置に設けられていない場合に比べ、駆動回路で生じる相互誘導ノイズのアンテナへの影響が抑制される。
請求項４の発明によれば、アンテナと表示パネルとを融合したアンテナ構造体を提供することができる。
請求項５の発明によれば、表示パネルが１つの場合に比べ、アンテナの保持が容易になる。
請求項６の発明によれば、表示パネルが交換可能でない場合に比べ、用途の変更が容易にできる。
請求項７の発明によれば、光反射部材を備えない場合に比べ、表示パネルの光の指向性を容易に制御できる。
請求項８の発明によれば、電波反射部材を備えない場合に比べ、アンテナの電波の指向性を容易に制御できる。
請求項９の発明によれば、アンテナと照明とを融合したアンテナ構造体を提供することができる。
【図面の簡単な説明】
【０００９】
【図１】第１の実施の形態が適用されるアンテナ構造体の一例の斜視図である。
【図２】アンテナ構造体を分解して示した斜視図である。
【図３】アンテナ部の詳細を示す図である。
【図４】第１の実施の形態が適用されるアンテナ構造体の変形例であるアンテナ構造体を示す図である。
【図５】第１の実施の形態が適用されるアンテナ構造体の変形例であるアンテナ構造体を示す図である。
【図６】第２の実施の形態が適用されるアンテナ構造体の一例の斜視図である。
【発明を実施するための形態】
【００１０】
以下、添付図面を参照して、本発明の実施の形態について詳細に説明する。
［第１の実施の形態］
第１の実施の形態では、アンテナ構造体の一例として、可視光透過アンテナ（後述するアンテナ部１０（アンテナ１１））が、光源からの光が照射されることにより表示がされる表示装置（後述する表示部２０）と融合した（一体に構成された）アンテナ構造体を説明する。
【００１１】
図１は、第１の実施の形態が適用されるアンテナ構造体１の一例の斜視図である。図２は、アンテナ構造体１を分解して示した斜視図である。図１と図２によりアンテナ構造体１を説明する。なお、図示するように、図の左側を左側、右側を右側とし、上側を上側、下側を下側とする。他の図も同様である。なお、左右、上下は、説明のために便宜的なものであって、上下、左右が逆など他の方向を向いていてもよい。
【００１２】
アンテナ構造体１は、アンテナ部１０、アンテナ部１０を挟み込むように設けられた表示部２０、表示部２０に可視光を放出する光源部３０、アンテナ部１０から又はアンテナ部１０に信号を伝搬する信号伝搬部４０、及び光源部３０などを覆うとともに設備への取り付けを容易にする筐体５０を備える。ここで、設備とは、アンテナ構造体１が取り付けられる対象であって、例えば建物の屋根、天井、内外壁面、床面などである。また、街路に設けられた電柱などの柱、交通標識、案内標識などであってもよい。
【００１３】
アンテナ部１０は、後述する図３で説明するように、可視光を透過する透明な部材で構成されている。アンテナ部１０は、一例として２個のアンテナ１１が設けられており、複数個のアンテナ１１を組み合わせて送受信のスループットを上げるＭＩＭＯ（multiple-input and multiple-output）システムに対応している。
【００１４】
表示部２０は、２枚の導光型の表示パネル２１、２２で構成されている。そして、２枚の表示パネル２１、２２の間に、アンテナ部１０が挟み込まれている。
表示パネル２１、２２は導光型であって、光源部３０が放出する可視光が導光される。そして、表示パネル２１には、導光された光を散乱することで、光って見えるように、散乱体で構成された文字や図形などの表示が形成されている。ここでは、一例として、図１、図２において黒塗りで示すように、表示パネル２１には、「ＡＢＣ会社」と表示され、表示パネル２２には、枠が表示される。
【００１５】
表示パネル２１、２２は、可視光を透過する透明な部材で構成されているが、散乱体で構成された表示が、光を散乱して見える（視認できる）ように構成されている。例えば、表示パネル２１、２２は、可視光の透過率が高いガラスや、アクリル、ポリエチレンテレフタレート（ＰＥＴ：Poly Ethylene Terephthalate）などの樹脂など、可視光を透過する光透過性の高い素材で構成されている。
【００１６】
散乱体は、表示パネル２１、２２を透過する光を散乱するものであればよい。例えば、表示パネル２１の表面をサンドブラストやエッチングなどにより荒らして構成した微細な凹凸でもよい。また、表示パネル２１、２２の表面に付着された微粒子であってもよい。
【００１７】
ここでは、２つの表示パネル２１、２２を用いたが、１つの表示パネルでもよい。この場合、アンテナ部１０は、表示パネルに対向するように配置される。
【００１８】
光源部３０は、光源３１、及び光源３１を駆動する駆動回路３２を備える。なお、光源部３０は、駆動回路３２に電力を供給する電源線を備えるが、表記を省略する。
ここでは、光源３１は、複数の発光ダイオード（ＬＥＤ）が回路基板上に列状に配列されて構成されている。そして、ＬＥＤの光を放出する側が表示パネル２１、２２の端面（図２において下側の端面）に対向している。これにより、光源３１のＬＥＤが放出する光（光源３１が放出する光）が導光型の表示パネル２１、２２の端面から表示パネル２１、２２に導光される。このとき、光源３１が放出する光は、表示パネル２１、２２とともに、アンテナ部１０の端面（図２において下側の端面）からアンテナ部１０にも導光される。しかし、アンテナ部１０は、可視光を散乱しにくいように構成されているので、可視光を透過し、見えにくくなっている。
【００１９】
駆動回路３２は、電源線から供給される交流を、光源３１を駆動する直流に変換（整流）して、複数のＬＥＤに供給して、光源３１の複数のＬＥＤを発光させる（光を放射させる）。駆動回路３２は、光源３１が放射する光が表示部２０に向かうのを遮断しないように、光源３１に対してアンテナ部１０及び表示部２０とは逆側に設けられている。
【００２０】
信号伝搬部４０は、アンテナ部１０の二つのアンテナ１１が送信する信号及びアンテナ１１が受信した信号を伝搬するための二つのケーブル４１及び接続基板４２を備える。ケーブル４１は、例えば同軸ケーブルである。
【００２１】
筐体５０は、二つの部材（左側筐体５１、右側筐体５２）を組み立てることで構成されている。左側筐体５１と右側筐体５２とは、ねじで固定される。筐体５０は、可視光に不透明な樹脂や金属板などで構成されている。例えば、ＰＶＣなどの樹脂モールドを用いうる。筐体５０は、アンテナ部１０とケーブル４１との接続部分や光源部３０を見えなくするとともに、左側筐体５１、右側筐体５２がアンテナ部１０及び表示パネル２１、２２を挟み込んで保持する。そして、筐体５０を左側筐体５１、右側筐体５２に分解することで、容易に表示パネル２１、２２を取り出せるようになっている。そして、アンテナ構造体１が設置された状態において、容易に表示パネル２１、２２が交換可能になっている。
【００２２】
すなわち、表示パネル２１、２２は、可視光を透過する光透過性の高い素材で構成されているが、文字や図形などが、光を散乱するように構成されていればよい。文字には、会社名などの他に、部署や会議室の名前などを表示してもよい。また、図形には、会社のロゴや避難誘導、トイレなど人を誘導するための案内標識などを表示してもよい。表示部２０は、発光型となるので、人目に付きやすい。また、表示パネル２１、２２は、容易に交換できるため、会社名やロゴの変更、イベント会場などにアンテナ構造体１を用いる場合など、利便性が高い。つまり、表示パネル２１、２２とアンテナ部１０とは、別体で構成されていることがよい。
このようなアンテナ構造体１は、ＷｉＦｉスポット（アクセスポイント）として用いることができる。
【００２３】
図３は、アンテナ部１０の詳細を示す図である。なお、光源部３０の光源３１を合わせて示している。なお、アンテナ部１０は、図１、図２のアンテナ部１０を右側から見た状態を示している。
【００２４】
アンテナ部１０は、フィルムアンテナとして構成することが可能であり、可視光を透過する光透過性の高い透明な樹脂製素材からなるフィルム１２を基材とし、このフィルム１２に、光透過性が高くなるように導電材の材料（透明導電体）が選定され、及び／又は光透過性が高くなるように導電材の配置が行なわれたアンテナ１１が形成されている。つまり、アンテナ部１０は、アンテナ１１とフィルム１２とが、光を散乱しにくい、可視光透過アンテナとして構成されている。このため、アンテナ１１は、例えば８００ＭＨｚ帯と２．１ＧＨｚ帯との２周波を共用する放射部１１ａと、電波を反射する反射器として機能する反射部１１ｂとを備える。反射部１１ｂは、基準電位であるグランド（ＧＮＤ）に接続されてもよい。
【００２５】
そして、接続基板４２には、ケーブル４１が接続されている。そして、フィルム１２と接続基板４２とがボルト及びナットにて固定されることで、アンテナ１１の放射部１１ａ及び反射部１１ｂの端部が、接続基板４２に圧着される。これにより、アンテナ１１の放射部１１ａは、同軸ケーブルであるケーブル４１の内導体に接続され、反射部１１ｂは、ケーブル４１の外導体に接続される。なお、図１、図２に示すように、２つのアンテナ１１は、それぞれ異なるケーブル４１に接続されている。
【００２６】
そして、反射部１１ｂは、光源３１と放射部１１ａとの間に設けられている。このように構成することで、光源３１及び駆動回路３２によって生じる相互変調（ＩＭ：Inter Modulation）ノイズを反射し、放射部１１ａに到達することを抑制する。ＩＭノイズは、光源３１のＬＥＤ及び駆動回路３２の半導体素子などの非線形性によって生じる。つまり、反射部１１ｂは、ＩＭノイズに対してシールドとして機能する。
【００２７】
フィルム１２には、例えばＰＥＴ樹脂などを用いうる。また、アンテナ１１には、酸化インジウムスズ（ＩＴＯ：Indium Tin Oxide）、酸化亜鉛（ＺｎＯ：Zinc oxide）、酸化錫（ＳｎＯ２）や二酸化チタン系透明導電体などを用いうる。
【００２８】
このアンテナ構造体１では、アンテナ部１０から放射された電波は、表示部２０（表示パネル２１、２２）を透過して、矢印で示すように、左右方向に伝搬する。また、左右方向から表示部２０（表示パネル２１、２２）を透過して、アンテナ部１０に伝搬する電波は、アンテナ部１０により受信される。
さらに、表示部２０の散乱体で構成された表示で散乱された光も、矢印で示すように、アンテナ部１０を通過して、左右方向に進む。つまり、表示パネル２１の「ＡＢＣ会社」の文字及び表示パネル２２の枠は、表示部２０の左側及び右側から視認される。
【００２９】
そして、アンテナ構造体１は、表示装置として見えるので、アンテナ部１０が設けられていることが認識されづらい。すなわち、景観や環境に考慮したアンテナとすることができる。このようにすることで、可視光透過アンテナであるアンテナ部１０（アンテナ１１）の利用度が向上する。
【００３０】
なお、アンテナ部１０を筐体５０の内部に設けることができるが、筐体５０の内部に設けると、アンテナ部１０における放射部１１ａが、光源３１の下側に設けられることになり、送受信が光源３１の発生するＩＭノイズの影響を受けてしまう。また、アンテナ部１０の送受信が、筐体５０による減衰などの影響を受けやすくなる。そして、筐体５０を金属で構成したり、樹脂部材の表面に金属箔を設けてシールドしたりすることが難しくなってしまう。つまり、アンテナ部１０を表示部２０と同様に、筐体５０の外部に設けることにより、電波の送受信が容易になる。
また、アンテナ部１０（アンテナ１１）を可視光透過アンテナとすることで、表示部２０からの光の放出に対して影になることが抑制される。
【００３１】
つまり、アンテナ部１０を表示部２０とともに、筐体５０の外側に設けることで、アンテナ部１０は、筐体５０の影響を受けることがない。また、アンテナ部１０の放射部１１ａを、光源３１及び駆動回路３２に対して反射部１１ｂを挟んで設けることにより、光源３１及び駆動回路３２の発生するＩＭノイズの影響を受けにくくしている。
【００３２】
以下では、第１の実施の形態の変形例を説明する。
（変形例１）
図４は、第１の実施の形態が適用されるアンテナ構造体１の変形例１であるアンテナ構造体２を示す図である。
アンテナ構造体２では、アンテナ構造体１において、表示部２０の表示パネル２１とアンテナ部１０との間に、光反射部材の一例としての可視光反射シート６０を備えている。可視光反射シート６０は、可視光を反射する（全光反射）が、電波を透過するシートである。可視光反射シート６０は、例えば拡散反射をさせるシートである。表面をエンボス加工により凹凸を設けるとともに、白色のフィラーを混入させたものである。白色のフィラーとしては、酸化チタンなどを用いうる。
【００３３】
このようにすることで、表示パネル２１からの光は、左方向にのみ進み、表示パネル２１の表示（ここでは、「ＡＢＣ会社」）は、左側からのみ視認される。一方、表示パネル２２からの光は、右方向にのみ進み、表示パネル２２の表示（ここでは、枠）は、右側からのみ視認される。しかし、アンテナ部１０から放射された電波は、表示部２０（表示パネル２１、２２）を透過して、矢印で示すように、左右方向に伝搬する。また、左右方向から表示部２０（表示パネル２１、２２）を透過して、アンテナ部１０に伝搬する電波は、アンテナ部１０により受信される。つまり、表示部２０からの光の指向性が制御できる。
また、表示パネル２１と表示パネル２２とに、異なる表示を設けることができる。
【００３４】
（変形例２）
図５は、第１の実施の形態が適用されるアンテナ構造体１の変形例２であるアンテナ構造体３を示す図である。
アンテナ構造体３では、アンテナ構造体１において、表示部２０の表示パネル２１とアンテナ部１０との間に、電波反射部材の一例としての電波反射シート７０を備えている。電波反射シート７０は、電波を反射して、電波が透過することを抑制する。しかし、電波反射シート７０は、可視光を透過する。電波反射シート７０の全面は、例えばアンテナ部１０におけるアンテナ１１と同様に、可視光を透過する透明導電体で構成されている。よって、電波反射シート７０は、電波を反射するが、光を透過する。なお、電波反射シート７０は、基準電位であるグランド（ＧＮＤ）に接続されてもよく、接続されなくてもよい。
【００３５】
このようにすることで、表示パネル２１、２２からの光は、左右方向に進み、表示パネル２１の表示（ここでは、「ＡＢＣ会社」）及び表示パネル２２の表示（ここでは、枠）は、左側及び右側から視認される。しかし、アンテナ部１０から放射された電波は、矢印で示すように、右方向にのみ伝搬する。アンテナ部１０に伝搬する電波は、右方向からのみアンテナ部１０に受信される。つまり、アンテナ部１０に対する電波の指向性が制御できる。
よって、電波の送受信を予め定められた方向に限定することができる。例えば、隣接する２つのエリアの一方とは、電波の送受信を行い、他方とは電波の送受信を行わないようにできる。そして、表示部２０の表示は、両方のエリアから視認することができるようにできる。
【００３６】
なお、変形例１と変形例２とを合わせて用いてもよい。
【００３７】
［第２の実施の形態］
第１の実施の形態のアンテナ構造体１は、アンテナ部１０（アンテナ１１）（可視光透過アンテナ）と表示部２０（表示装置）とが融合（一体に構成）されていた。第２の実施の形態のアンテナ構造体４では、アンテナ部１０（アンテナ１１）（可視光透過アンテナ）と照明装置（後述する照明部８０）とを融合する（一体に構成する）。
【００３８】
図６は、第２の実施の形態が適用されるアンテナ構造体４の一例の斜視図である。図６の上側を上側、下側を下側とする。
アンテナ構造体４は、アンテナ部１０と照明部８０とを備える。照明部８０は、光源８１、光源８１の上側を覆う上側カバー８２、下側を覆う下側カバー８３、及び設備に固定するためのアーム８４を備える。すなわち、アンテナ構造体４は、一例として街路灯として設けられている。
【００３９】
アンテナ部１０は、第１の実施の形態と同様であって、可視光透過アンテナとして構成されている。ここでも、２つのアンテナ１１を備えている。アンテナ１１は、放射部１１ａと反射部１１ｂとを備える。
【００４０】
照明部８０の光源８１は、ＬＥＤが格子状に配列されて構成されている。そして、ＬＥＤは、下方に可視光を放出する。そして、不図示であるが、光源８１の内側（上側）に、光源８１を駆動する駆動回路が設けられている。
上側カバー８２及びアーム８４は、可視光を透過しない不透明な部材で構成されている。不透明な部材は、例えば、金属、ＡＢＳ樹脂、ＰＶＣ樹脂などである。一方、下側カバー８３は、可視光を透過する透明な部材で構成されている。透明な部材は、アクリル、ＰＥＴなどである。なお、下側カバー８３は、光源８１の下側を覆わず、上側カバー８２の周辺又は周辺の一部に設けられていてもよい。また、アーム８４には、駆動回路に電力を供給する電源線が埋設されている。
【００４１】
そして、アンテナ部１０は、下側カバー８３の面に対向するように設けられている。つまり、アンテナ部１０は、可視光透過アンテナであるので、可視光を透過する透明な下側カバー８３に設けられても、見えにくくなっている。つまり、可視光透過アンテナであるアンテナ部１０（アンテナ１１）は、光源８１が放出する光の側に設けられている。そして、アンテナ部１０におけるアンテナ１１の反射部１１ｂは、光源８１及び駆動回路と、アンテナ１１の放射部１１ａの間に設けられているので、光源８１及び／又は駆動回路から発生するＩＭノイズを反射し、シールドとして機能する。よって、アンテナ１１の放射部１１ａにＩＭノイズが混入することを抑制する。なお、駆動回路は、上側カバー８２外に設けてもよい。つまり、アーム８４を経由して、光源８１を駆動する信号を光源８１に供給してもよい。なお、アンテナ部１０は、下側カバー８３の面に貼り付けられていてもよい。このようにすることで、可視光透過アンテナであるアンテナ部１０（アンテナ１１）の利用度が向上する。
【００４２】
なお、アンテナ部１０を、上側カバー８２内に設けることが考えられる。しかし、アンテナ部１０を上側カバー８２の外側に設けることで、アンテナ部１０は、上側カバー８２の影響を受けることがない。
【００４３】
街路灯など、明りがあるところには、人が集まる。よって、街路灯などにアンテナ部１０（アンテナ１１）を設けて、ＷＩＦＩスポット（アクセスポイント）とすると利便性が向上する。特に、街路灯は金属で構成されるため、金属部分から露出した部分にアンテナを設置することが必要になる。よって、アンテナ部１０（アンテナ１１）を可視光透過アンテナとすることで、金属部分から露出した部分に容易にアンテナ部１０（アンテナ１１）を設置することができる。
【００４４】
なお、第２の実施の形態が適用されるアンテナ構造体４は、照明装置として構成されている。ここでは、一例として街路灯としたが、他の照明装置であってもよい。
【００４５】
以上、第１の実施の形態及び第２の実施の形態を説明したが、本発明の趣旨に反しない限りにおいて様々な変形を行っても構わない。
【符号の説明】
【００４６】
１、２、３、４…アンテナ構造体、１０…アンテナ部、１１…アンテナ、１１ａ…放射部、１１ｂ…反射部、１２…フィルム、２０…表示部、２１、２２…表示パネル、３０…光源部、３１、８１…光源、３２…駆動回路、４０…信号伝搬部、４１…ケーブル、４２…接続基板、５０…筐体、５１…左側筐体、５２…右側筐体、６０…可視光反射シート、７０…電波反射シート、８０…照明部、８２…上側カバー、８３…下側カバー、８４…アーム
【図１】
2019043757.tif 000003
【図２】
2019043757.tif 000004
【図３】
2019043757.tif 000005
【図４】
2019043757.tif 000006
【図５】
2019043757.tif 000007
【図６】
2019043757.tif 000008
【国際調査報告】
2019043757.tif 000009
2019043757.tif 000010
2019043757.tif 000011
2019043757.tif 000012